(57)【要約】【課題】ＰＲＡＣＨ用の無線リソースを適切に割り当てる。【解決手段】本発明に係る移動通信方法は、セル間同期が取られている移動通信システム内の各セルにおいて、ＰＲＡＣＨ用の無線リソースを割り当てる工程Ａと、移動局ＵＥが、各セルにおいて割り当てられている無線リソースを用いたＰＲＡＣＨを介して、ＲＡプリアンブルを送信することによって、ランダムアクセス手順を行う工程Ｂとを有し、工程Ａにおいて、隣接するセル間で、ＰＲＡＣＨ用の無線リソースとして、異なるサブフレームにおけるリソースブロックを割り当てる。【選択図】図６
2010183287.tif 000002
【特許請求の範囲】
【請求項１】
セル間同期が取られている移動通信システム内の各セルにおいて、物理ランダムアクセスチャネル用の無線リソースを割り当てる工程Ａと、
移動局が、前記各セルにおいて割り当てられている前記無線リソースを用いた前記物理ランダムアクセスチャネルを介して、ランダムアクセスプリアンブルを送信することによって、ランダムアクセス手順を行う工程Ｂとを有し、
前記工程Ａにおいて、隣接するセル間で、前記物理ランダムアクセスチャネル用の無線リソースとして、異なるサブフレームにおけるリソースブロックを割り当てることを特徴とする移動通信方法。
【請求項２】
移動通信システム内の各セルにおいて、物理ランダムアクセスチャネル用の無線リソースを割り当てる工程Ａと、
移動局が、前記各セルにおいて割り当てられている前記無線リソースを用いた前記物理ランダムアクセスチャネルを介して、ランダムアクセスプリアンブルを送信することによって、ランダムアクセス手順を行う工程Ｂとを有し、
前記工程Ａにおいて、隣接するセル間で、前記物理ランダムアクセスチャネル用の無線リソースとして、異なるサブキャリアにおけるリソースブロックを割り当てることを特徴とする移動通信方法。
【請求項３】
セル間同期が取られている移動通信システム内の各セルにおいて、物理ランダムアクセスチャネル用の無線リソースを割り当てる工程Ａと、
移動局が、前記各セルにおいて割り当てられている前記無線リソースを用いた前記物理ランダムアクセスチャネルを介して、ランダムアクセスプリアンブルを送信することによって、ランダムアクセス手順を行う工程Ｂとを有し、
前記工程Ａにおいて、隣接するセル間で、前記物理ランダムアクセスチャネル用の無線リソースとして、異なるサブフレームで且つ異なるサブキャリアにおけるリソースブロックを割り当てることを特徴とする移動通信方法。
【請求項４】
移動通信システム内の各セル内の各セクタにおいて、物理ランダムアクセスチャネル用の無線リソースを割り当てる工程Ａと、
移動局が、前記各セクタにおいて割り当てられている前記無線リソースを用いた前記物理ランダムアクセスチャネルを介して、ランダムアクセスプリアンブルを送信することによって、ランダムアクセス手順を行う工程Ｂとを有し、
前記工程Ａにおいて、同一無線基地局配下の隣接するセクタ間で、前記物理ランダムアクセスチャネル用の無線リソースとして、異なるサブフレームにおけるリソースブロックを割り当てることを特徴とする移動通信方法。
【請求項５】
セル間同期が取られている移動通信システムで用いられる無線基地局であって、
配下のセルにおいて、物理ランダムアクセスチャネル用の無線リソースを割り当てるように構成されているリソース割当部と、
前記セルに在圏する移動局から、前記リソース割当部によって割り当てられている前記無線リソースを用いた前記物理ランダムアクセスチャネルを介してランダムアクセスプリアンブルを受信した場合に、ランダムアクセス手順を行うように構成されているランダムアクセス手順部とを具備し、
前記リソース割当部は、前記セルにおいて、前記物理ランダムアクセスチャネル用の無線リソースとして、該セルに隣接するセルとは異なるサブフレームにおけるリソースブロックを割り当てるように構成されていることを特徴とする無線基地局。
【請求項６】
移動通信システムで用いられる無線基地局であって、
配下のセルにおいて、物理ランダムアクセスチャネル用の無線リソースを割り当てるように構成されているリソース割当部と、
前記セルに在圏する移動局から、前記リソース割当部によって割り当てられている前記無線リソースを用いた前記物理ランダムアクセスチャネルを介してランダムアクセスプリアンブルを受信した場合に、ランダムアクセス手順を行うように構成されているランダムアクセス手順部とを具備し、
前記リソース割当部は、前記セルにおいて、前記物理ランダムアクセスチャネル用の無線リソースとして、該セルに隣接するセルとは異なるサブキャリアにおけるリソースブロックを割り当てるように構成されていることを特徴とする無線基地局。
【請求項７】
セル間同期が取られている移動通信システムで用いられる無線基地局であって、
配下のセルにおいて、物理ランダムアクセスチャネル用の無線リソースを割り当てるように構成されているリソース割当部と、
前記セルに在圏する移動局から、前記リソース割当部によって割り当てられている前記無線リソースを用いた前記物理ランダムアクセスチャネルを介してランダムアクセスプリアンブルを受信した場合に、ランダムアクセス手順を行うように構成されているランダムアクセス手順部とを具備し、
前記リソース割当部は、前記セルにおいて、前記物理ランダムアクセスチャネル用の無線リソースとして、該セルに隣接するセルとは異なるサブフレーム及びサブキャリアにおけるリソースブロックを割り当てるように構成されていることを特徴とする無線基地局。
【請求項８】
移動通信システムで用いられる無線基地局であって、
配下のセル内のセクタにおいて、物理ランダムアクセスチャネル用の無線リソースを割り当てるように構成されているリソース割当部と、
前記セクタに在圏する移動局から、前記リソース割当部によって割り当てられている前記無線リソースを用いた前記物理ランダムアクセスチャネルを介してランダムアクセスプリアンブルを受信した場合に、ランダムアクセス手順を行うように構成されているランダムアクセス手順部とを具備し、
前記リソース割当部は、前記セクタにおいて、前記物理ランダムアクセスチャネル用の無線リソースとして、該セクタに隣接するセクタとは異なるサブフレームにおけるリソースブロックを割り当てるように構成されていることを特徴とする無線基地局。
【請求項９】
前記工程Ａにおいて、各セルにおいて、各セルの形態又は種類に応じて、前記物理ランダムアクセスチャネル用の無線リソースとして割り当てるリソースブロックを決定することを特徴とする請求項１乃至３のいずれか一項に記載の移動通信方法。
【請求項１０】
前記工程Ａにおいて、各セクタにおいて、各セル又は各セクタの形態又は種類に応じて、前記物理ランダムアクセスチャネル用の無線リソースとして割り当てるリソースブロックを決定することを特徴とする請求項４に記載の移動通信方法。
【請求項１１】
前記リソース割当部は、各セルにおいて、各セルの形態又は種類に応じて、前記物理ランダムアクセスチャネル用の無線リソースとして割り当てるリソースブロックを決定するように構成されていることを特徴とする請求項５乃至７のいずれか一項に記載の無線基地局。
【請求項１２】
前記リソース割当部は、各セクタにおいて、各セル又は各セクタの形態又は種類に応じて、前記物理ランダムアクセスチャネル用の無線リソースとして割り当てるリソースブロックを決定するように構成されていることを特徴とする請求項８に記載の無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式の移動通信システムでは、移動局ＵＥが、通信開始時に行うランダムアクセス手順（Ｒａｎｄｏｍ  Ａｃｃｅｓｓ  Ｐｒｏｃｅｄｕｒｅ）を開始するために、ＰＲＡＣＨ（Ｐｈｙｓｉｃａｌ  Ｒａｎｄｏｍ  Ａｃｃｅｓｓ  Ｃｈａｎｎｅｌ、物理ランダムアクセスチャネル）を介して、ＲＡ（Ｒａｎｄｏｍ  Ａｃｃｅｓｓ）プリアンブルを送信するように構成されている。
【先行技術文献】
【非特許文献】
【０００３】
【非特許文献１】３ＧＰＰ  ＴＳ３６.２１１、ｖ８.５.０
【非特許文献２】３ＧＰＰ  ＴＳ３６.３２１、ｖ８.４.０
【発明の概要】
【発明が解決しようとする課題】
【０００４】
しかしながら、３ＧＰＰでは、上述のＰＲＡＣＨ用の無線リソースの割り当て方法について規定されていないため、上述の移動通信システムにおいて、ＰＲＡＣＨ用の無線リソースが適切に割り当てられない場合があるという問題点があった。
【０００５】
そこで、本発明は、上述の課題に鑑みてなされたものであり、ＰＲＡＣＨ用の無線リソースを適切に割り当てることができる移動通信方法及び無線基地局を提供することを目的とする。
【課題を解決するための手段】
【０００６】
本発明の第１の特徴は、移動通信方法であって、セル間同期が取られている移動通信システム内の各セルにおいて、物理ランダムアクセスチャネル用の無線リソースを割り当てる工程Ａと、移動局が、前記各セルにおいて割り当てられている前記無線リソースを用いた前記物理ランダムアクセスチャネルを介して、ランダムアクセスプリアンブルを送信することによって、ランダムアクセス手順を行う工程Ｂとを有し、前記工程Ａにおいて、隣接するセル間で、前記物理ランダムアクセスチャネル用の無線リソースとして、異なるサブフレームにおけるリソースブロックを割り当てることを要旨とする。
【０００７】
本発明の第２の特徴は、移動通信方法であって、移動通信システム内の各セルにおいて、物理ランダムアクセスチャネル用の無線リソースを割り当てる工程Ａと、移動局が、前記各セルにおいて割り当てられている前記無線リソースを用いた前記物理ランダムアクセスチャネルを介して、ランダムアクセスプリアンブルを送信することによって、ランダムアクセス手順を行う工程Ｂとを有し、前記工程Ａにおいて、隣接するセル間で、前記物理ランダムアクセスチャネル用の無線リソースとして、異なるサブキャリアにおけるリソースブロックを割り当てることを要旨とする。
【０００８】
本発明の第３の特徴は、移動通信方法であって、セル間同期が取られている移動通信システム内の各セルにおいて、物理ランダムアクセスチャネル用の無線リソースを割り当てる工程Ａと、移動局が、前記各セルにおいて割り当てられている前記無線リソースを用いた前記物理ランダムアクセスチャネルを介して、ランダムアクセスプリアンブルを送信することによって、ランダムアクセス手順を行う工程Ｂとを有し、前記工程Ａにおいて、隣接するセル間で、前記物理ランダムアクセスチャネル用の無線リソースとして、異なるサブフレームで且つ異なるサブキャリアにおけるリソースブロックを割り当てることを要旨とする。
【０００９】
本発明の第４の特徴は、移動通信方法であって、移動通信システム内の各セル内の各セクタにおいて、物理ランダムアクセスチャネル用の無線リソースを割り当てる工程Ａと、移動局が、前記各セクタにおいて割り当てられている前記無線リソースを用いた前記物理ランダムアクセスチャネルを介して、ランダムアクセスプリアンブルを送信することによって、ランダムアクセス手順を行う工程Ｂとを有し、前記工程Ａにおいて、同一無線基地局配下の隣接するセクタ間で、前記物理ランダムアクセスチャネル用の無線リソースとして、異なるサブフレームにおけるリソースブロックを割り当てることを要旨とする。
【００１０】
本発明の第５の特徴は、セル間同期が取られている移動通信システムで用いられる無線基地局であって、配下のセルにおいて、物理ランダムアクセスチャネル用の無線リソースを割り当てるように構成されているリソース割当部と、前記セルに在圏する移動局から、前記リソース割当部によって割り当てられている前記無線リソースを用いた前記物理ランダムアクセスチャネルを介してランダムアクセスプリアンブルを受信した場合に、ランダムアクセス手順を行うように構成されているランダムアクセス手順部とを具備し、前記リソース割当部は、前記セルにおいて、前記物理ランダムアクセスチャネル用の無線リソースとして、該セルに隣接するセルとは異なるサブフレームにおけるリソースブロックを割り当てるように構成されていることを要旨とする。
【００１１】
本発明の第６の特徴は、移動通信システムで用いられる無線基地局であって、配下のセルにおいて、物理ランダムアクセスチャネル用の無線リソースを割り当てるように構成されているリソース割当部と、前記セルに在圏する移動局から、前記リソース割当部によって割り当てられている前記無線リソースを用いた前記物理ランダムアクセスチャネルを介してランダムアクセスプリアンブルを受信した場合に、ランダムアクセス手順を行うように構成されているランダムアクセス手順部とを具備し、前記リソース割当部は、前記セルにおいて、前記物理ランダムアクセスチャネル用の無線リソースとして、該セルに隣接するセルとは異なるサブキャリアにおけるリソースブロックを割り当てるように構成されていることを要旨とする。
【００１２】
本発明の第７の特徴は、セル間同期が取られている移動通信システムで用いられる無線基地局であって、配下のセルにおいて、物理ランダムアクセスチャネル用の無線リソースを割り当てるように構成されているリソース割当部と、前記セルに在圏する移動局から、前記リソース割当部によって割り当てられている前記無線リソースを用いた前記物理ランダムアクセスチャネルを介してランダムアクセスプリアンブルを受信した場合に、ランダムアクセス手順を行うように構成されているランダムアクセス手順部とを具備し、前記リソース割当部は、前記セルにおいて、前記物理ランダムアクセスチャネル用の無線リソースとして、該セルに隣接するセルとは異なるサブフレーム及びサブキャリアにおけるリソースブロックを割り当てるように構成されていることを要旨とする。
【００１３】
本発明の第８の特徴は、移動通信システムで用いられる無線基地局であって、配下のセル内のセクタにおいて、物理ランダムアクセスチャネル用の無線リソースを割り当てるように構成されているリソース割当部と、前記セクタに在圏する移動局から、前記リソース割当部によって割り当てられている前記無線リソースを用いた前記物理ランダムアクセスチャネルを介してランダムアクセスプリアンブルを受信した場合に、ランダムアクセス手順を行うように構成されているランダムアクセス手順部とを具備し、前記リソース割当部は、前記セクタにおいて、前記物理ランダムアクセスチャネル用の無線リソースとして、該セクタに隣接するセクタとは異なるサブフレームにおけるリソースブロックを割り当てるように構成されていることを要旨とする。
【発明の効果】
【００１４】
以上説明したように、本発明によれば、ＰＲＡＣＨ用の無線リソースを適切に割り当てることができる移動通信方法及び無線基地局を提供することができる。
【図面の簡単な説明】
【００１５】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって割り当てられるＰＲＡＣＨ用の無線リソース、ＰＵＳＣＨ用の無線リソース及びＰＵＣＣＨ用の無線リソースの一例を示す図である。
【図４】本発明の第１の実施形態に係る移動通信システムにおいてＲＡプリアンブルの送信タイミングの一例について説明するための図である。
【図５】本発明の第１の実施形態に係る移動通信システムで用いられるＲＡプリアンブルのフォーマットの一例を示す図である。
【図６】本発明の第１の実施形態に係る移動通信システムで行われるランダムアクセス手順について示すシーケンス図である。
【発明を実施するための形態】
【００１６】
（本発明の第１の実施形態に係る移動通信システムの構成）
図１乃至図５を参照して、本発明の第１の実施形態に係る移動通信システムの構成について説明する。
【００１７】
本実施形態に係る移動通信システムは、ＬＴＥ方式の移動通信システムであって、図１に示すように、複数の無線基地局ｅＮＢ＃１乃至ｅＮＢ＃３を具備している。
【００１８】
例えば、本実施形態に係る移動通信システムでは、図１に示すように、移動局ＵＥは、無線基地局ｅＮＢ＃１配下のセル＃１や無線基地局ｅＮＢ＃２配下のセル＃２や無線基地局ｅＮＢ＃３配下のセル＃３等において、ＰＲＡＣＨを介してランダムアクセス手順に係る情報（ＲＡプリアンブルやメッセージ３等）を送信し、ＰＵＳＣＨ（Ｐｈｙｓｉｃａｌ  Ｕｐｌｉｎｋ  Ｓｈａｒｅｄ  Ｃｈａｎｎｅｌ、物理上り共有チャネル）を介して上りデータを送信し、ＰＵＣＣＨ（Ｐｈｙｓｉｃａｌ  Ｕｐｌｉｎｋ  Ｃｏｎｔｒｏｌ  Ｃｈａｎｎｅｌ、物理上り制御チャネル）を介して上り制御データを送信することができるように構成されている。
【００１９】
なお、図１において、セル＃１は、複数のセクタ＃１-１乃至＃１-ｎに分割され、セル＃２は、複数のセクタ＃２-１乃至２-ｎに分割され、セル＃３は、複数のセクタ＃３-１乃至３-ｎに分割されるように構成されていてもよい。
【００２０】
無線基地局ｅＮＢ＃１乃至ｅＮＢ＃３の構成は、基本的に同一であるため、以下、代表して、無線基地局ｅＮＢ＃１の構成について説明する。図２に示すように、無線基地局ｅＮＢ＃１は、リソース割当部１１と、報知情報送信部１２と、ランダムアクセス手順部１３とを具備している。
【００２１】
リソース割当部１１は、無線基地局ｅＮＢ＃１配下の各セル（例えば、セル＃１）において、所定のチャネル用の無線リソースを割り当てるように構成されている。
【００２２】
具体的には、図３に示すように、リソース割当部１１は、無線基地局ｅＮＢ＃１配下の各セルにおいて、上りチャネル用の無線リソースとして、ＰＲＡＣＨ用の無線リソースや、ＰＵＳＣＨ用の無線リソースや、ＰＵＣＣＨ用の無線リソース等を割り当てるように構成されている。
【００２３】
ここで、リソース割当部１１は、特定のサブフレームにおける６個のリソースブロック（ＲＢ：Ｒｅｓｏｕｒｃｅ  Ｂｌｏｃｋ）を割り当てるように構成されている。なお、１リソースブロックは、時間方向の７ＳＣ-ＦＤＭＡシンボルと周波数方向の１２サブキャリアによって構成されるものである。
【００２４】
或いは、１リソースブロックの時間方向の長さを１ｍｓとみなした場合には、１リソースブロックは、時間方向の１４ＳＣ-ＦＤＭＡシンボルと周波数方向の１２サブキャリアによって構成されるものとみなされてもよい。
【００２５】
リソース割当部１１は、ＰＲＡＣＨ用の無線リソースを固定的に確保するように構成されており、各無線フレームにおいて、ＰＲＡＣＨ用の無線リソース及びＰＵＣＣＨ用の無線リソースを除いた部分を、ＰＵＳＣＨ用の無線リソースとして割り当てるように構成されている。
【００２６】
図３における「ｎＰＲＢｏｆｆｓｅｔＲＡ」は、ＰＲＡＣＨ用の無線リソースの周波数方向の位置を決定するためのパラメータであり、かかる「ｎＰＲＢｏｆｆｓｅｔＲＡ」を用いることによって、システム帯域幅のどの周波数方向の位置でも、ＰＲＡＣＨ用の無線リソースを割り当てることができる。
【００２７】
なお、リソース割当部１１は、無線基地局ｅＮＢ＃１配下の各セルにおいて、下りチャネル用の無線リソースとして、ＰＤＳＣＨ（Ｐｈｙｓｉｃａｌ  Ｄｏｗｎｌｉｎｋ  Ｓｈａｒｅｄ  Ｃｈａｎｎｅｌ、物理下り共有チャネル）用の無線リソースや、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下り制御チャネル）用の無線リソースや、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、物理制御フォーマット指示チャネル）用の無線リソースや、ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ、物理ＨＡＲＱ指示チャネル）用の無線リソース等を割り当てるように構成されている。
【００２８】
報知情報送信部１２は、ＰＤＳＣＨを介して、ＢＣＣＨ（Ｂｒｏａｄｃａｓｔ  Ｃｈａｎｎｅｌ）にマッピングされている報知情報によって、セル＃１内の移動局ＵＥに対して、リソース割当部１１によって割り当てられたＰＲＡＣＨ用の無線リソースを通知するように構成されている。
【００２９】
ここで、前記ＰＲＡＣＨ用の無線リソースとは、例えば、ＰＲＡＣＨの時間方向のリソースの位置を示す「ＰＲＡＣＨ  Ｃｏｎｆｉｇｕｒａｔｉｏｎ  Ｉｎｄｅｘ」や、ＰＲＡＣＨの周波数方向のリソースの位置を示す「ＰＲＡＣＨ  Ｆｒｅｑｕｅｎｃｙ  Ｏｆｆｓｅｔ」や、後述するＰＲＡＣＨを介して送信されるＲＡプリアンブルの系列の番号や、当該セルにおいて高速移動に対応しているか否かについて示す「Ｈｉｇｈ  Ｓｐｅｅｄ  Ｆｌａｇ」等である。
【００３０】
なお、上述したＰＲＡＣＨ用の無線リソースに関する情報は、報知情報として通知されるだけでなく、個別シグナリングであるＲＲＣメッセージとして移動局ＵＥに通知されてもよい。ＲＲＣメッセージには、例えば、ハンドオーバを指示するハンドオーバコマンド等が含まれる。
【００３１】
例えば、報知情報送信部１２は、上述の報知情報によって、「ＰＲＡＣＨ  Ｆｒｅｑｕｅｎｃｙ  Ｏｆｆｓｅｔ」を通知することによって、リソース割当部１１によって割り当てられたＰＲＡＣＨ用の周波数方向の無線リソースを通知するように構成されてもよい。
【００３２】
より具体的には、例えば、ＰＲＡＣＨ用の無線リソースとして割り当てられる６個のリソースブロックの内、最も周波数の小さいリソースブロックの番号（ｎＰＲＢｏｆｆｓｅｔＲＡ）が、かかる「ＰＲＡＣＨ  Ｆｒｅｑｕｅｎｃｙ  Ｏｆｆｓｅｔ」として通知されてもよい。
【００３３】
例えば、報知情報送信部１２は、上述の報知情報によって、図４に示す「ＰＲＡＣＨ  Ｃｏｎｆｉｇｕｒａｔｉｏｎ  Ｉｎｄｅｘ」を通知することによって、リソース割当部１１によって割り当てられたＰＲＡＣＨ用の無線リソースを通知するように構成されていてもよい。
【００３４】
かかる場合、図４に示す「Ｓｙｓｔｅｍ  Ｆｒａｍｅ  ｎｕｍｂｅｒ」及び「Ｓｕｂｆｒａｍｅ  ｎｕｍｂｅｒ」によって、ＰＲＡＣＨを介したＲＡプリアンブルの送信タイミング、すなわち、ＰＲＡＣＨ用の無線リソースにおける時間方向のリソースであるサブフレームが特定される。
【００３５】
例えば、ＰＲＡＣＨを介して送信されるＲＡプリアンブルの系列としては、Ｒｅｆｅｒｅｎｃｅ  Ｓｉｇｎａｌ（ＲＳ）の系列と同様に、自己相関及び相互相関の小さなＺａｄｏｆｆ-Ｃｈｕ系列が使用される。
【００３６】
ここで、Ｚａｄｏｆｆ-Ｃｈｕ系列と、かかるＺａｄｏｆｆ-Ｃｈｕ系列を「Ｃｙｃｌｉｃ  ｓｈｉｆｔ」した系列とは直交するという性質を利用して、１つのＺａｄｏｆｆ-Ｃｈｕ系列を「Ｃｙｃｌｉｃ  ｓｈｉｆｔ」することによって、１つのＺａｄｏｆｆ-Ｃｈｕ系列から複数のＲＡプリアンブルの系列を作成することができる。
【００３７】
なお、「Ｃｙｃｌｉｃ  ｓｈｉｆｔ量」は、各セルにおける無線基地局ｅＮＢと移動局ＵＥとの間の上りリンクにおける往復伝搬遅延よりも大きくなければならない。
【００３８】
図５の例では、「Ｃｙｃｌｉｃ  ｓｈｉｆｔ量」を「１２.５ｕｓ」として、１つセルにおいて、６４個のＲＡプリアンブルの系列が生成されている。
【００３９】
ＬＴＥ方式の移動通信システムでは、ＰＲＡＣＨ用のＺａｄｏｆｆ-Ｃｈｕ系列は、全部で８３９個定義されており、セルＩＤは、全部で５０４個定義されている。
【００４０】
したがって、ＬＴＥ方式の移動通信システムでは、図５の例のように、１つのＺａｄｏｆｆ-Ｃｈｕ系列から６４個のＲＡプリアンブルの系列を作成することができれば、１つのセルに対して、１つのＺａｄｏｆｆ-Ｃｈｕ系列を割り当てればよい。
【００４１】
しかしながら、実際の伝搬遅延や移動局ＵＥの送信タイミング誤り等を考慮すると、「Ｃｙｃｌｉｃ  ｓｈｉｆｔ量」を「１２.５ｕｓ」等の小さな値に設定することが現実的でないため、１つのセルに対して、複数のＺａｄｏｆｆ-Ｃｈｕ系列を割り当てる必要があると想定される。
【００４２】
したがって、リソース割当部１１は、以下のように、隣接セル間又は隣接セクタ間で、ＲＡプリアンブルの系列同士の直交性が崩れないように、すなわち、ＲＡプリアンブルの系列同士が衝突しないように、ＰＲＡＣＨ用の無線リソースを割り当てるように構成されている。
【００４３】
具体的には、本実施形態に係る移動通信システムが、セル間同期が取られている移動通信システム（すなわち、セル同期システム）である場合、リソース割当部１１は、セル＃１において、ＰＲＡＣＨ用の無線リソースとして、セル＃１に隣接するセルとは異なるサブフレームにおけるリソースブロックを割り当てるように構成されていてもよい。
【００４４】
例えば、本実施形態に係る移動通信システムが、セル同期システムである場合、ＰＲＡＣＨ用の無線リソースとして、セル＃１では、サブフレーム＃１におけるリソースブロックが割り当てられ、セル＃２では、サブフレーム＃４におけるリソースブロックが割り当てられ、セル＃３では、サブフレーム＃７におけるリソースブロックが割り当てられてもよい。
【００４５】
また、本実施形態に係る移動通信システムが、セル間同期が取られている移動通信システム（すなわち、セル同期システム）である場合、リソース割当部１１は、セル＃１において、ＰＲＡＣＨ用の無線リソースとして、セル＃１に隣接するセルとは異なるサブキャリアにおけるリソースブロックを割り当てるように構成されていてもよい。
【００４６】
例えば、本実施形態に係る移動通信システムが、セル同期システムである場合、ＰＲＡＣＨ用の無線リソースとして、セル＃１では、システム帯域幅内の周波数の高いリソースブロックから順に６リソースブロックが割り当てられ、セル＃２では、システム帯域幅内の中央の６リソースブロックが割り当てられ、セル＃３では、システム帯域幅内の周波数の低いリソースブロックから順に６リソースブロックが割り当てられてもよい。
【００４７】
また、本実施形態に係る移動通信システムが、セル間同期が取られている移動通信システム（すなわち、セル同期システム）である場合、リソース割当部１１は、セル＃１において、ＰＲＡＣＨ用の無線リソースとして、セル＃１に隣接するセルとは異なるサブフレーム及びサブキャリアにおけるリソースブロックを割り当てるように構成されていてもよい。
【００４８】
また、本実施形態に係る移動通信システムが、セル間同期が取られていない移動通信システム（すなわち、セル非同期システム）である場合、リソース割当部１１は、セル＃１において、ＰＲＡＣＨ用の無線リソースとして、セル＃１に隣接するセルとは異なるサブキャリアにおけるリソースブロックを割り当てるように構成されていてもよい。
【００４９】
例えば、本実施形態に係る移動通信システムが、セル非同期システムである場合であっても、セル同期システムである場合と同様に、ＰＲＡＣＨ用の無線リソースとして、セル＃１では、システム帯域幅内の周波数の高いリソースブロックから順に６リソースブロックが割り当てられ、セル＃２では、システム帯域幅内の中央の６リソースブロックが割り当てられ、セル＃３では、システム帯域幅内の周波数の低いリソースブロックから順に６リソースブロックが割り当てられてもよい。
【００５０】
また、本実施形態に係る移動通信システムが、セクタ構成が採用されている移動通信システムである場合、リソース割当部１１は、セル＃１において、ＰＲＡＣＨ用の無線リソースとして、セル＃１-１に隣接する無線基地局ｅＮＢ＃１配下のセル１-２とは異なるサブフレームにおけるリソースブロックを割り当てるように構成されていてもよい。
【００５１】
すなわち、同一無線基地局ｅＮＢ＃１配下の隣接するセクタ間で、ＰＲＡＣＨ用の無線リソースとして、異なるサブフレームにおけるリソースブロックを割り当てるように構成されていてもよい。
【００５２】
ランダムアクセス手順部１３は、無線基地局ｅＮＢ＃１配下のセル＃１に在圏する移動局ＵＥから、リソース割当部１１によって割り当てられている無線リソースを用いたＰＲＡＣＨを介してＲＡプリアンブルを受信した場合に、ランダムアクセス手順を行うように構成されている。
【００５３】
（本発明の第１の実施形態に係る移動通信システムの動作）
以下、図６を参照して、本実施形態に係る移動通信システムの動作について説明する。
【００５４】
図６に示すように、ステップＳ１００１において、無線基地局ｅＮＢは、配下のセル又はセクタにおいて、隣接するセル又はセクタにおいて割り当てられているＰＲＡＣＨ用の無線リソースと衝突しないように、すなわち、隣接セル間又は隣接セクタ間で、ＲＡプリアンブルの系列同士が衝突しないように、ＰＲＡＣＨ用の無線リソースを割り当てる
ステップＳ１００２において、無線基地局ｅＮＢは、配下のセル又はセクタにおいて、割り当てたＰＲＡＣＨ用の無線リソース（例えば、リソースブロック及びＲＡプリアンブルの系列等）を含む報知情報を送信する。
【００５５】
ステップＳ１００３において、移動局ＵＥは、無線基地局ｅＮＢ配下のセル又はセクタにおいて、上述の報知情報に含まれているＰＲＡＣＨ用の無線リソースに基づいて、ＰＲＡＣＨを介して、無線基地局ｅＮＢに対して、所定のＲＡプリアンブルを送信する。
【００５６】
ステップＳ１００４において、無線基地局ｅＮＢは、受信したＲＡプリアンブルに応じて、移動局ＵＥに対して、ＲＡレスポンス（メッセージ２）を送信する。
【００５７】
ステップＳ１００５において、移動局ＵＥは、ＲＡレスポンスに含まれる「ＵＬＧｒａｎｔ」に基づいて、無線基地局ｅＮＢに対して、メッセージ３を送信し、ステップＳ１００６において、無線基地局ｅＮＢは、移動局ＵＥに対して、メッセージ４を送信する。
【００５８】
このようなランダムアクセス手順によって、移動局ＵＥと無線基地局ｅＮＢとの間で通信が開始される。
【００５９】
なお、上述した例においては、隣接するセル又はセクタの間で、周波数方向及び時間方向の少なくとも一方で、ＰＲＡＣＨ用の無線リソースをずらして割り当てる場合を示したが、代わりに、セルの形態や種類に応じて、周波数方向及び時間報告の少なくとも一方で、ＰＲＡＣＨ用の無線リソースをずらして割り当ててもよい。
【００６０】
ここで、セル又はセクタ（以下、セル）の形態や種類とは、例えば、都市部のセルや郊外地でのセルといった形態や種類であってもよいし、或いは、屋外のセルや屋内のセルといった形態や種類であってもよいし、高速移動に対応するセル（「Ｈｉｇｈ-ｓｐｅｅｄ  ｍｏｄｅ」のセル）や高速移動に対応しないセル（「Ｎｏｒｍａｌ-ｓｐｅｅｄ  ｍｏｄｅ」のセル）といった形態や種類であってもよいし、或いは、導入当初に設置されるセルと導入後しばらく経過してから設置されるセルといった形態や種類であってもよい。
【００６１】
なお、無線基地局ｅＮＢのリソース割当部１１は、各セルにおいて、各セルの形態又は種類に応じて、前記物理ランダムアクセスチャネル用の無線リソースとして割り当てるリソースブロックを決定するように構成されていてもよい。
【００６２】
また、無線基地局ｅＮＢのリソース割当部１１は、各セクタにおいて、各セル又は各セクタの形態又は種類に応じて、前記物理ランダムアクセスチャネル用の無線リソースとして割り当てるリソースブロックを決定するように構成されていてもよい。
【００６３】
例えば、システム帯域幅内の周波数の高いリソースブロックから順に６リソースブロックを用いるセル及びシステム帯域幅内の中央の６リソースブロックを用いるセルによって、セル設計を行い、エリアを展開した後に、後から新規のセルを増設する場合にシステム帯域幅内の周波数の低いリソースブロックから順に６リソースブロックを割り当てることにより、既存のセルとの系列の衝突を考慮する必要はなく、セルプランニングの再検討を必要とせずに、既存のセルに影響を与えることなく新規セルを増設することが可能となる。
【００６４】
また、システム帯域幅内の周波数の高いリソースブロックから順に６リソースブロックを用いるセル及びシステム帯域幅内の中央の６リソースブロックを用いるセルによって、屋外環境のマクロセルの設計を行い、ビル内の室内環境のセルの設置を行う場合に、システム帯域幅内の周波数の低いリソースブロックから順に６リソースブロックを割り当てることにより、既存の屋外セルとの系列の衝突を考慮する必要はなく、セルプランニングの再検討を必要とせずに、既存の屋外セルに影響を与えることなくビル内などの室内にセルを増設することが可能となる。
【００６５】
また、ＬＴＥ方式では、高速移動に対応するセルと高速移動に対応しないセルとで、ＰＲＡＣＨを介して送信されるＲＡプリアンブルの系列の選択の仕方を変更するという仕組みが導入されており、高速移動に対応するセルであるか或いは高速移動に対応しないセルであるかについて識別するために、上述した「Ｈｉｇｈ-Ｓｐｅｅｄ  ｆｌａｇ」というシグナリングが、報知情報により通知される。
【００６６】
以下では、高速移動に対応するセルを「Ｈｉｇｈ-ｓｐｅｅｄ  ｍｏｄｅ」と呼ぶ。この「Ｈｉｇｈ-ｓｐｅｅｄ  ｍｏｄｅ」では、「Ｈｉｇｈ-ｓｐｅｅｄ  ｍｏｄｅ」ではない場合に比べて、３倍の前記ＲＡプリアンブルの系列が使われるため、使用できる系列数が少なくなってしまうという問題がある。
【００６７】
したがって、例えば、システム帯域幅内の周波数の高いリソースブロックから順に６リソースブロックを用いるセル及びシステム帯域幅内の中央の６リソースブロックを用いるセルによって、セルエリアを設計し、高速環境に対応が必要なセルに関しては、システム帯域幅内の周波数の低いリソースブロックから順に６リソースブロックを割り当てることにより、「Ｈｉｇｈ-ｓｐｅｅｄ  ｍｏｄｅ」であったとしても、既存のセルに影響を与えることなく、高速環境移動に対応したセルを展開することが可能となる。ここで、高速環境に対応が必要なセルとは、例えば、新幹線近接のセルである。
【００６８】
（本発明の第１の実施形態に係る移動通信システムの作用・効果）
本発明の第１の実施形態に係る移動通信システムによれば、隣接セル間又は隣接セクタ間で、周波数方向及び時間方向の少なくとも一方で、ＰＲＡＣＨ用の無線リソースをずらして割り当てるように構成されているため、ＲＡプリアンブルの系列が衝突して、無線基地局ｅＮＢにおけるＲＡプリアンブルの誤検出の発生を回避することができる。
【００６９】
本発明の第１の実施形態に係る移動通信システムによれば、１つのＲＡプリアンブルの系列を繰り返し使用することができるので、擬似的なＲＡプリアンブルの系列の数を増加させることができ、システム設計に柔軟性を与えることができる。
【００７０】
本発明の第１の実施形態に係る移動通信システムによれば、ＲＡプリアンブルの系列についてはラウンドロビン的に割り当てていっても、周波数方向及び時間方向の少なくとも一方で、ＰＲＡＣＨ用の無線リソースをずらして割り当てるように構成されているため、ＰＲＡＣＨ用の無線リソースの衝突が発生しない。したがって、システム設計を容易にすることができる。
【００７１】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００７２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００７４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７５】
ＵＥ…移動局
ｅＮＢ…無線基地局
１１…リソース割当部
１２…報知情報送信部
１３…ランダムアクセス手順部
【図１】
2010183287.tif 000003
【図２】
2010183287.tif 000004
【図３】
2010183287.tif 000005
【図４】
2010183287.tif 000006
【図５】
2010183287.tif 000007
【図６】
2010183287.tif 000008